(57)【要約】      （修正有）【課題】給電端子の検査時の変形をなくしたブラシ保持構造と、このブラシ保持構造を備えたモータを提供する。【解決手段】ブラシ保持構造は、整流子に接するブラシアッシー６０と、ブラシアッシー６０を固定するブラシベース５０と、を有する。ブラシアッシー６０は、給電端子６１ｂと検査端子６２を有する。検査端子の板厚は、前記給電端子の板厚より厚く形成されている。検査端子には、検査端子用の目印部が形成されている。【選択図】図３
2020145825.tif 000002
【特許請求の範囲】
【請求項１】
ブラシを有するブラシアッシーと、
前記ブラシアッシーを固定するブラシベースと、を有し、
前記ブラシアッシーは、給電端子と検査端子を有することを特徴とするブラシ保持構造。
【請求項２】
前記検査端子の板厚は、前記給電端子の板厚より厚いことを特徴とする請求項１に記載のブラシ保持構造。
【請求項３】
前記検査端子には、前記検査端子用の目印部が形成されていることを特徴とする請求項１に記載のブラシ保持構造。
【請求項４】
前記目印部は、前記検査端子に形成された貫通孔であることを特徴とする請求項３に記載のブラシ保持構造。
【請求項５】
前記検査端子と前記給電端子は、前記ブラシベースの外側に突出して設けられていることを特徴とする請求項１に記載のブラシ保持構造。
【請求項６】
前記ブラシベースの外側から突出した前記検査端子の長さは、前記ブラシベースの外側から突出した前記給電端子の長さより短いことを特徴とする請求項５に記載のブラシ保持構造。
【請求項７】
前記ブラシベースは、樹脂製で、開口端部を有する有底筒状で形成されており、前記ブラシベースの有底筒状の内側に形成されたブラシベース空間部を有し、
前記ブラシベース空間部には、前記ブラシアッシーが固定されており、
前記給電端子は、前記ブラシベースの外周面から、径方向に、突出しており、
前記検査端子は、前記ブラシベースの底蓋から、軸方向に、突出していることを特徴とする請求項１に記載のブラシ保持構造。
【請求項８】
前記給電端子は、前記ブラシの一端と切れ目のない同一部材により形成された前記ブラシの他端となっていることを特徴とする請求項７に記載のブラシ保持構造。
【請求項９】
前記ブラシと別部材となる前記検査端子が、前記ブラシに固定されていることを特徴とする請求項８に記載のブラシ保持構造。
【請求項１０】
請求項１から６のいずれか１項に記載の前記ブラシ保持構造を有するモータ。
【請求項１１】
請求項７から９のいずれか１項に記載の前記ブラシ保持構造を有するモータであって、
前記モータは、
開口端部を有する有蓋筒状の鉄製のモータケースと、
前記モータケースの内周面に固定された駆動用マグネットと、
前記駆動用マグネットの内周面に対向して配置された、銅線を有するロータと、
前記ロータに固定された、整流子を有する回転軸と、
前記回転軸が貫通された貫通孔を有する中空板状のブラケットと、
前記モータケースと前記ブラシベースにそれぞれ固定されて前記回転軸を軸支する軸受とを備えており、
前記ブラケットは、前記モータケースの内側に固定されており、
前記ブラシベースの開口端部は、前記ブラケットに前記モータケースの外部から固定されており、
前記ブラシベースは、前記ブラケットの前記貫通孔を介して前記モータケースの内部空間部と通じる、前記ブラシベースの有底筒状の内側に形成された前記ブラシベース空間部を有し、
前記ブラシベース空間部には、前記ブラシアッシーが配置されていることを特徴とする。
【請求項１２】
前記給電端子の上端は、前記モータケースの開口端部より、下方に配置されていることを特徴とする請求項１１に記載のモータ。
【発明の詳細な説明】
【技術分野】
【０００１】
本発明は、ブラシ保持構造と、このブラシ保持構造を備えたモータに関わる。
【背景技術】
【０００２】
ブラシ保持構造を備えたモータとして、例えば、特許文献１には、モータのホルダに固定されたブラシターミナルと、回転軸の整流子に接するブラシと、からなる給電端子が記載されている。このブラシターミナルは、モータケースの外方に突出した外部電源から電源を供給する接続部（給電端子）と、ホルダに固定された固定部を有する。この固定部は、ホルダに設けられた孔に対して圧入固定されてホルダの下側の面に突出して、抜け防止のため折り曲げられている。
【先行技術文献】
【特許文献】
【０００３】
【特許文献１】特開平９−３２２４８２号公報
【発明の概要】
【発明が解決しようとする課題】
【０００４】
しかしながら、特許文献１に記載のモータでは、モータの組立完成後に、このモータの電気的な検査のため、接続部に検査用プローブが機械的に繰り返し接続される場合、接続部が変形しやすかった。そのため、外部電源と接続するリード線等がこの接続部に接続される場合に、ハンダ付けがしにくくなり、作業性が低下した。
【０００５】
そこで、本発明は、給電端子の検査時の変形をなくしたブラシ保持構造と、このブラシ保持構造を備えたモータ提供するものである。
【課題を解決するための手段】
【０００６】
本発明のブラシ保持構造は、
ブラシを有するブラシアッシーと、
前記ブラシアッシーを固定するブラシベースと、を有し、
前記ブラシアッシーは、給電端子と検査端子を有する。
【０００７】
本発明のモータは、
前記ブラシ保持構造を有する。
【発明の効果】
【０００８】
本発明のブラシ保持装置では、モータの組立完成後に、このモータの電気的な検査のため検査用プローブが検査端子に繰り返し接続される場合に、給電端子に力が加わらず、給電端子は検査時の変形をなくすことができる。よって、外部電源と接続するリード線等がこの給電端子に接続される際に、ハンダ付けがしやすい。
【０００９】
また、本発明のブラシ保持装置を有するモータでは、ハンダ付けしやすいモータとなる。
【図面の簡単な説明】
【００１０】
【図１】本発明の実施形態例に係るモータの完成品の断面図である。
【図２】図１の分解斜視図である。
【図３】図１の別の分解斜視図である。
【図４】図１の第１組立斜視図である。
【図５】図１の別の第１組立斜視図である。
【図６】図１の第２組立斜視図である。
【図７】図１の別の第２組立斜視図である。
【図８】本発明の変形例である。
【図９】図８の分解斜視図である。
【発明を実施するための形態】
【００１１】
本明細書では、図１において、モータ１の回転軸３０に対して平行な方向を「軸方向」と呼び、回転軸３０を中心とする径方向を単に「径方向」と呼び、回転軸３０の回転方向を単に「周方向」と呼ぶ。
なお、上下方向は、実際の機器に組み込まれたときの位置関係や方向を示すものではない。
【００１２】
以下、図面に基づいて本発明の実施の形態を例示的に説明する。
【００１３】
（実施形態例）
図１ないし図７は、本例に係るブラシ付きモータ１を説明するための図である。このモータ１は、コア付きの径方向空隙型である。
【００１４】
モータ１は、モータケース１０と、駆動用マグネット１８と、ロータ２０と、回転軸３０と、整流子３１と、ブラケット４０と、ブラシ保持構造Ｂとを有する。
ブラシ保持構造Ｂは、ブラシベース５０とブラシアッシー６０を有する。
【００１５】
モータケース１０は、剛性のある磁性体の鉄製材料から形成されており、円筒部１１とこの円筒部１１の上端に一体形成された上蓋１２とを有する有蓋筒状からなる。このモータケースの円筒部１１の下端にある開口端部１１ａには平面が形成されている。また上蓋１２の中央部には貫通孔が形成されており、この貫通孔にラジアル軸受１６が圧入されている。このモータケース１０は、導電性を有する。
【００１６】
モータケースの開口端部付近にある内周面には、モータケースの内周面１０ｂの直径より若干大きいモータケース段差部１１ｂが全周に形成されている。このモータケース段差部１１ｂにはブラケット４０が固定されている。
【００１７】
ブラケット４０は、剛性のある磁性体の鉄製材料から形成されており、回転軸３０が貫通された貫通孔４１を有する薄板の中空板状に形成されている。ブラケットの下面４０ｂは、平面になっている。このブラケット４０は、導電性を有する。
【００１８】
ブラケット４０の形状は、具体的に、リング形状であり、外径と内径の中心を同一にしている。
ブラケットの外周面４０ａは、モータケース段差部の内周面１１ｂａと大きさを同一にしている。
ブラケット４０の軸方向の高さは、モータケース段差部１１ｂの軸方向の高さより若干小さい。
ブラケット４０がモータケース段差部１１ｂに固定されると、モータケースの開口端部１１ａは、ブラケットの下面４０ｂより軸方向下方に若干突出する。そして、モータケースの開口端部１１ａがブラケットの外周面４０ａに加締められて、ブラケット４０はモータケースの開口端部１１ａに固定されている。このとき、ブラケットの外周面４０ａとモータケース段差部１１ｂとの間には隙間がない状態となる。このように、ブラケット４０は、モータケース１０の内側に固定されている。
【００１９】
駆動用マグネット１８は、円筒形状で周方向に沿ってＮ極、Ｓ極が交互に着磁された円筒形状からなる。この駆動用マグネット１８は、円筒形状のマグネットをモータケースの円筒部の内周面１０ｂに接着剤により固定されたり、長方形状のラバーマグネットを円筒形状に曲げて固定されたりする。
【００２０】
ロータ２０は、薄い鋼鈑を複数枚積層してなる電機子コア２１と、電機子コア２１にコイル状に巻回された銅線２２を有する。
【００２１】
回転軸３０は、整流子３１を有しており、ロータ２０の電機子コア２１の中心に固定されている。
整流子３１は、銅線２２に電気的に接続されている。
回転軸３０とロータ２０は一体に回転する。
【００２２】
回転軸３０は、モータケース１０に固定されたラジアル軸受１６に挿通して回転自在に支承されている。回転軸の一端は、モータケース１０から突出している。回転軸の他端は、ブラシベース５０に固定されたラジアル軸受５６と後述のスラスト軸受により支承されている。
【００２３】
ブラシベース５０は、非磁性の硬質の樹脂材料により形成されており、円筒部５１とこの円筒部５１の下端に一体に成形された底蓋５２を有する有底筒状からなり、有底筒状の内側に形成されたブラシベース空間部５３を有している。
このブラシベースの底蓋５２の中央部には円形の凹部が形成されており、この凹部の底面はスラスト軸受となっている。この凹部にはラジアル軸受５６が圧入されている。
【００２４】
ブラシベース５０は、ブラケット４０にモータケース１０の外部から固定されている。このブラシベースの円筒部５１の上端となる開口端部５１ａには平面が形成されている。このブラシベースの開口端部５１ａの平面が、ブラケットの下面４０ｂの平面に、直接、接して固定されている。ブラシベース５０は、モータケースの開口端部１１ａに非接触となる。
【００２５】
ブラシベース５０がブラケット４０に固定されると、ブラシベース空間部５３は、ブラケットの貫通孔４１を介してモータケースの内部空間部１３と通じる。このモータケースの内部空間部１３とこのブラシベース空間部５３は、モータの外部から閉塞されている。
また、ブラシベースの底蓋５２は、モータケースの開口端部１１ａより下方に突出して配置されている。
【００２６】
ブラシベースの外周面５０ａは、ブラケットの外周面４０ａより若干小さく形成されている。別表現では、ブラケットの外周面４０ａは、ブラシベースの外周面５０ａより若干大きく形成されている。
ブラシベースの円筒部５１の内周面は、ブラケットの内周面４０ｃより大きく形成されている。別表現では、ブラケットの内周面４０ｃは、ブラシベースの円筒部５１の内周面より小さく形成されている。
【００２７】
ブラシベース空間部５３には、整流子３１に摺接して電流を流すように一対のブラシアッシー６０が設けられている。このブラシアッシー６０は、図１または図５に示すように、ブラシベース５０の内側に回転軸を中心に線対称に配置されている。
【００２８】
このブラシアッシー６０は、整流子３１に外部電源から電流を供給するブラシ６１と、モータの組立完成後に検査用プローブが接続される検査端子６２を有する。
【００２９】
ブラシ６１は、銅若しくは銅合金のような剛性と弾性のある導電材料からなり、平面と側面を有する径方向に細長い略薄平板形状に形成されている。この平面は側面に対して幅広であり、側面は平面に対して幅狭である。
【００３０】
ブラシ６１は、整流子３１に接するブラシの一端６１ａと、給電端子となるブラシの他端６１ｂを有する。このブラシ６１の整流子３１に対する接点部は、貴金属がクラッド加工されている。
【００３１】
検査端子６２は、剛性のある鉄製または真ちゅう等の銅合金の導電材料からなる軸方向に細長い形状である。この検査端子６２は、ブラシ６１と別部材として構成されている。この検査端子６２の上部は、径方向に細長いブラシ６１の略中央部に加締めまたは溶接されて固定されており、ブラシ６１と電気的に接続されている。検査端子６２の上端は、ブラシ６１の上端と同じ高さとなっている。
【００３２】
本発明の検査端子は、モータの組立完成後に、このモータの電気的な検査のため、検査用プローブが一時的に接続される端子をいう。
本発明の給電端子は、モータの組立完成後に、検査用プローブが接続されず、外部電源と電気的に常時接続され続ける端子をいい、例えば、リード線等がハンダ付けされる端子をいう。
このような本発明の給電端子と検査端子は、上述のような明確な意図が反映されて設計されており、配置と形状を異なるものとして識別している。
【００３３】
例えば、配置について、給電端子６１ｂと検査端子６２は、ブラシベース５０の異なる位置に空間を介して配置されている。
つまり、給電端子６１ｂは、ブラシベースの外周面５０ａから径方向外方に突出しており、検査端子６２は、ブラシベースの底蓋５２から軸方向下方に突出しており、給電端子６１ｂと検査端子６２は、空間的に離れて配置されている。
【００３４】
より具体的には、一対のブラシアッシー６０のため、給電端子６１ｂは、一方のブラシアッシーから１個形成されており、また、他方のブラシアッシーから１個形成されており、ブラシベース５０から径方向に合計２個突出している。
このように、給電端子６１ｂはブラシベース５０から径方向に突出しているが、この給電端子６１ｂはモータケースの外周面１０ａを超えて配置されている。この給電端子６１ｂは、モータの径方向に突出する、所謂、金属製の横出し端子となり、給電端子６１ｂとブラシの一端６１ａは切れ目のない同一部材により構成されている。
【００３５】
また、より具体的には、一対のブラシアッシー６０のため、検査端子６２は、一方のブラシアッシーから１個形成されており、また、他方のブラシアッシーから１個形成されており、ブラシベース５０から軸方向に合計２個突出している。
【００３６】
また、例えば、形状について、検査端子６２の板厚は、給電端子６１ｂの板厚より厚く形成されており、好ましくは２倍以上、より好ましくは４倍以上に厚く形成されている。
また、検査端子６２の突出長さは、給電端子６１ｂの突出長さより、短く形成されており、好ましくは１／２以下であり、より好ましく１／４以下である。
また、ブラシベース５０の軸方向から突出した検査端子６２には、検査端子用の目印部６２ａが形成されている。この目印部６２ａは、貫通孔としている。
なお、給電端子６１ｂは、上述のような目印部を設けない。
【００３７】
次に、このブラシアッシー６０の固定方法について説明する。
【００３８】
図３に示すように、ブラシベースの開口端部５１ａには、このブラシベースの開口端部５１ａより軸方向の下方に一段下がった空間のブラシベース段差部５１ｂが形成されている。
このブラシベース段差部５１ｂには、ブラシアッシー６０を固定するブラシ溝部５１ｃが軸方向下方に形成されている。
このブラシ溝部５１ｃの上端は、モータケースの開口端部１１ａより軸方向下方に配置されている。
【００３９】
ブラシアッシー６０は不図示のブラシ圧入治具によりブラシ溝部５１ｃに圧入される。
ブラシアッシー６０がブラシ溝部５１ｃに軸方向下方に圧入されると、検査端子６２は、ブラシベースの円筒部５１に設けられたブラシ溝部５１ｃに圧入されて固定される。検査端子６２の下端は、ブラシベースの底蓋５２に設けられた、ブラシ溝部５１ｃと連続する貫通孔５７から下方に突出する。
【００４０】
また、図１に示すように、ブラシの他端となる給電端子６１ｂがブラシベースの円筒部５１の径方向外方に突出する。
また、整流子３１に摺接するブラシの一端６１ａがブラシベースの円筒部５１の径方向内方に突出する。このブラシの一端６１ａは、回転軸３０に固定された整流子３１に当接できる位置に配置される。
そして、ブラシアッシー６０の上端はブラシ溝部５１ｃの上端以下となる。
【００４１】
そして、図６または図７に示すように、ブラケット４０が、ブラシアッシー６０を固定したブラシベース５０に固定されている。具体的には以下のようになっている。
【００４２】
ブラケット４０には、ブラシベース５０を固定するためのブラシベース固定用貫通孔４３が形成されている。
ブラシベース固定用貫通孔４３は、回転軸３０を中心として周方向に複数箇所、同一径で形成されている。
【００４３】
ブラシベースの開口端部５１ａには、ブラシベース固定用貫通孔４３に挿通するためのブラシベース固定用突部５１ｅが形成されている。
ブラシベース固定用突部５１ｅは、回転軸３０を中心として周方向に複数箇所、同一径で形成されている。
ブラシベース固定用突部５１ｅの外径は、ブラシベース固定用貫通孔４３の内径より若干小さい。
【００４４】
ブラシベース固定用突部５１ｅがブラシベース固定用貫通孔４３に挿通すると、ブラシベース固定用突部５１ｅは、モータケースの開口端内側空間部１１ｃに突出して、例えば、熱溶着により先端を潰されて、径方向に広がり、ブラシベース固定用貫通孔４３に固定される。
【００４５】
また、ブラケット４０には、駆動用マグネット１８を支持するためのマグネット支持用貫通孔４２が形成されている。
マグネット支持用貫通孔４２は、回転軸３０を中心として周方向に複数箇所、同一径で形成されている。
【００４６】
ブラシベースの開口端部５１ａには、マグネット支持用貫通孔４２に挿通するためのマグネット支持用突部５１ｄが形成されている。
マグネット支持用突部５１ｄは、回転軸３０を中心として周方向に複数箇所、同一径で形成されている。
マグネット支持用突部５１ｄの外径は、マグネット支持用貫通孔４２の内径より若干小さい。
【００４７】
マグネット支持用突部５１ｄがマグネット支持用貫通孔４２に挿通すると、マグネット支持用突部５１ｄは、ブラケット４０と駆動用マグネット１８の軸方向の間に形成されたモータケースの開口端内側空間部１１ｃに突出して駆動用マグネット１８の軸方向下端に接触して、駆動用マグネット１８を軸方向に支持する。
マグネット支持用突部５１ｄは、熱溶着後のブラシベース固定用突部５１ｅより高く形成されている。
【００４８】
なお、マグネット支持用貫通孔４２は、ブラシベース固定用貫通孔４３に対して、周方向に位置をずらしており、軸方向から見た時に重畳しない位置に配置されている。
また、マグネット支持用突部５１ｄは、ブラシベース固定用突部５１ｅに対して、周方向に位置をずらしており、軸方向から見た時に重畳しない位置に配置されている。
【００４９】
このように、ブラケット４０が、ブラシアッシー６０を固定したブラシベース５０に固定されている。
【００５０】
次に、ブラシアッシー６０とブラシベース５０とを一体化したブラケット４０が、ロータ２０を有するモータケース１０に装着されて、モータケースの開口端部１１ａがブラケットの外周面４０ａに加締められて、モータ１が完成する。
【００５１】
このように、本例のブラシ保持構造Ｂは、ブラシ６１を有するブラシアッシー６０と、ブラシアッシー６０を固定するブラシベース５０と、を有する。ブラシアッシー６０は、給電端子６１ｂと検査端子６２を有する。
【００５２】
よって、本例のブラシ保持装置では、モータの組立完成後に、このモータの電気的な検査のため検査用プローブが検査端子に繰り返し接続された場合に、給電端子に力が加わらず、給電端子は検査時の変形をなくすことができる。よって、外部電源と接続するリード線等がこの給電端子に接続される際に、ハンダ付けがしやすい。
つまり、従来例のような構成では、モータの電気的な検査のため、検査用プローブが接続部に繰り返し接続されることがあり、接続部の検査時の変形を抑えにくく、外部電源と接続するリード線等がこの接続部に接続される際に、ハンダ付けがしにくかった。
一方、本例のブラシ保持装置では、モータの組立完成後に、このモータの電気的な検査のため検査用プローブが検査端子に繰り返し接続された場合に、給電端子に力が加わらず、給電端子は検査時の変形をなくすことができる。よって、外部電源と接続するリード線がこの給電端子に接続される際に、ハンダ付けがしやすくなり、作業性が向上する。
【００５３】
また、検査端子６２の板厚は、給電端子６１ｂの板厚より厚い。
よって、検査用プローブが検査端子に接続される場合、給電端子と間違えにくくなり、給電端子の検査時の変形がなくなる。
【００５４】
また、検査端子６２には、検査端子用の目印部６２ａが形成されている。
よって、検査用プローブが検査端子に接続される場合、より給電端子と間違えにくくなり、さらに給電端子の検査時の変形がなくなる。
特に、同一形状の給電端子と検査端子が近くに配置された場合に、人手による検査では、検査用プローブが給電端子を接続してしまう可能性がある。そこで、検査端子に検査端子用の目印部が形成されていると、検査用プローブが給電端子に間違って接続しまうことをなくせて、給電端子の検査時の変形がなくなる。
【００５５】
また、目印部６２ａは、検査端子６２に形成された貫通孔である。
本例の場合、ブラシベースの底蓋の下方から突出する２個の検査端子が比較的近くに配置されているため、この２個の検査端子に検査用プローブとしてＩＣクリップが使われる場合があるが、平板状の検査端子の場合、このＩＣクリップが平板状の検査端子を掴みにくかった。
一方、本例の場合、検査端子に貫通孔が形成されていると、２個の検査端子が比較的近くに配置されていながら、ＩＣクリップがこの貫通孔を介して検査端子を確実に掴むことができて、作業性が向上する。
【００５６】
また、給電端子６１ｂと検査端子６２は、ブラシベース５０の外側に突出して設けられている。
よって、本例は、給電端子と検査端子がブラシベースの内側に内包されている場合に比べて、検査用プローブが検査端子に接続しやすくなり、外部電源と接続するリード線等が給電端子に接続される際に、ハンダ付けがしやすい。
【００５７】
また、ブラシベース５０の外側から突出した検査端子６２の長さは、ブラシベース５０の外側から突出した給電端子６１ｂの長さより短い。
よって、外部電源と接続するリード線等が給電端子にハンダ付けされる際の作業性が低下しにくい。
【００５８】
また、ブラシベース５０は、樹脂製で、開口端部５１ａを有する有底筒状で形成されている。
ブラシベース５０は、ブラシベースの有底筒状の内側に形成されたブラシベース空間部５３を有する。
ブラシベース空間部５３には、ブラシアッシー６０が固定されている。
給電端子６１ｂは、ブラシベースの外周面５０ａから、径方向外方に、突出している。
検査端子６２は、ブラシベースの底蓋５２から、軸方向下方に、突出している。
よって、この給電端子は、ブラシベースの径方向に突出する、所謂、横出し端子となる。
【００５９】
また、給電端子６１ｂは、ブラシの一端６１ａと切れ目のない同一部材により形成されたブラシの他端となっている。
よって、ハンダ付けがしやすく作業性が向上できる。
つまり、給電端子がブラシと切れ目のない同一部材で形成されている場合、平板状のブラシは一般的に整流子に対して所定の弾性を必要とするため、薄板を用いざるをえなく、本例の給電端子は薄板を用いている。
仮に、モータの電気的な検査のため、検査用プローブが給電端子に繰り返し接続された場合、薄板の給電端子はより変形しやすくなり、リード線等がハンダ付けしにくくなる。
そこで、本例では、モータの電気的な検査時に、検査用プローブが検査端子に接続されるため、薄板の給電端子は変形しない。このため、外部電源と接続するリード線等がこの薄板の給電端子に接続される際に、ハンダ付けがしやすく、作業性が向上できる。
【００６０】
また、ブラシ６１と別部材となる検査端子６２が、ブラシ６１に固定されている。
【００６１】
また、上述のブラシ保持構造Ｂを有するモータ１は、モータケース１０と、駆動用マグネット１８と、ロータ２０と、回転軸３０と、ブラケット４０と、軸受１６、５６を有する。
モータケース１０は、開口端部を有する有蓋筒状の鉄製である。
駆動用マグネット１８は、モータケース１０の内周面に固定されている。
ロータ２０は、駆動用マグネット１８の内周面に対向して配置されており、銅線２２を有する。
回転軸３０は、ロータ２０に固定されており、整流子３１を有する。
ブラケット４０は、回転軸３０が貫通された貫通孔４１を有する中空板状に形成されている。
軸受１６、５６は、モータケース１０とブラシベース５０にそれぞれ固定されており、回転軸３０を軸支する。
【００６２】
また、ブラケット４０は、モータケースの開口端部１１ａに固定されている。
ブラシベースの開口端部５１ａは、ブラケット４０にモータケース１０の外部から固定されている。
ブラシベース５０は、ブラケットの貫通孔４１を介してモータケースの内部空間部１３と通じる、ブラシベースの有底筒状の内側に形成されたブラシベース空間部５３を有する。
ブラシベース空間部５３には、ブラシアッシー６０が配置されている。
【００６３】
本例のブラシ保持装置を有するモータでは、モータの組立完成後に、このモータの電気的な検査のため、検査用プローブが検査端子に繰り返し接続された場合に、給電端子に力が加わらず、給電端子は、検査時の変形をなくすことができる。よって、外部電源と接続するリード線等がこの給電端子に接続される際に、ハンダ付けがしやすい。
【００６４】
また、給電端子６１ｂの上端は、モータケースの開口端部１１ａより、下方に配置されている。
よって、本例のブラシ保持装置を有するモータでは、モータケースの開口端部とブラシとの間には空間が形成されており、導電性の給電端子が、導電性のモータケースに電気的に接触することがなく、給電端子がモータケースと電気的に絶縁できる。
【００６５】
以上、本発明の実施形態について説明したが、本発明は、上述に限定されるものではなく、その主旨を逸脱しない範囲内において上述以外にも種々変形して実施することが可能である。
【００６６】
上述の実施形態の説明では、給電端子６１ｂは、ブラシの一端６１ａと切れ目のない同一部材により形成されてブラシベース５０から径方向外方に突出しており、検査端子６２は、ブラシ６１と別部材でブラシベース５０から軸方向外方に突出しているが、これに限らない。
例えば、給電端子は、ブラシの一端と切れ目のない同一部材により形成されてブラシベースから軸方向外方に突出して、検査端子は、ブラシと別部材でブラシベースから径方向外方に突出してもよい。
【００６７】
また、上述の実施形態の説明では、検査端子の板厚は、給電端子の板厚より厚く形成されているが、これに限らない。
例えば、検査端子の板厚は、給電端子の板厚とほぼ同じとしてよい。
【００６８】
また、上述の実施形態の説明では、給電端子と検査端子は、ブラシベースの外側に突出して設けられているが、これに限らない。
給電端子と検査端子は、ブラシベースの外側に突出せずに、ブラシベースの外側と同一面に平端部を形成されてもよい。
また、検査用プローブが検査端子に接続できたり、外部電源と接続するリード線等が給電端子に電気的な接続できたりするなら、給電端子と検査端子は、ブラシベースの外側から内側に凹んだ箇所に内包されて配置されてもよい。
【００６９】
また、上述の実施形態の説明では、ブラシの一端は、整流子に接しており、給電端子は、ブラシの一端と切れ目のない同一部材により形成されたブラシの他端となっているが、これに限らない。
ブラシの一端とブラシの他端は、電気的に接続されているなら、別部材で構成されてもよい。
【００７０】
また、上述の実施形態の説明では、検査端子には、検査端子用の目印部が形成されており、目印部は、貫通孔としているが、これに限らない。
目印部は、検査端子が給電端子と比べて目視で区別できる形態ならよく、例えば、検査端子に形成された突部としてもよい。
【００７１】
また、上述の実施形態の説明では、ブラシ６１は、銅若しくは銅合金のような剛性のある導電材料であるが、これに限らない。
ブラシは、導電性が良好な黒鉛質材料でもよい。このブラシは、整流子の近傍に固設されたホルダ内に収容され、常時整流子と接触されるように、ホルダ内に設けられたスプリング等の弾性部材によって付勢されている。この場合の給電端子と検査端子は、この弾性部材と電気的に接続されてブラシベースに固定されている。
【００７２】
また、上述の実施形態の説明では、ブラシアッシー６０は、別部材となる、ブラシと、検査端子とから形成されていたが、これに限らない。
給電端子を有するブラシと、検査端子は、切れ目のない同一部材により形成されてもよい。
【００７３】
また、上述の実施形態の説明では、検査端子６２の長さは、給電端子６１ｂの長さより短いが、これに限らない。
上述の実施形態のモータが組み込まれる組込装置内において、この検査端子を配置する空間があれば、検査端子の長さは、給電端子の長さより長くてもよい。
【００７４】
また、上述の実施形態の説明では、外部電源と接続するリード線等が給電端子にハンダ付けにより電気的に接続されているが、これに限らない。
給電端子は、外部電源と接続された金属端子とスポット溶接されて電気的に接続されてもよい。
【００７５】
また、上述の実施形態の説明では、一対のブラシアッシー６０のため、検査端子６２は、一方のブラシアッシーから１個形成されており、また、他方のブラシアッシーから１個形成されており、ブラシベース５０から軸方向下方に合計２個突出しているが、これに限らない。
図８または図９に示すように、検査端子１６２は、一方のブラシアッシーから２個形成されており、他方のブラシアッシーから２個形成されており、ブラシベース５０から軸方向下方に合計４個突出してもよい。
この場合、検査端子１６２は、ブラシベース１５０に設けられた４個の貫通孔１５７から下方に突出する。検査端子１６２には目印部１６２ａが形成されている。
【符号の説明】
【００７６】
１          モータ
１０        モータケース
１０ａ      モータケースの外周面
１０ｂ      モータケースの内周面
１１        モータケースの円筒部
１１ａ      モータケースの開口端部
１１ｂ      モータケースの開口端部にある段差部
１１ｂａ    モータケースの開口端部にある段差部の内周面
１１ｃ      モータケースの開口端内側空間部
１２        モータケースの上蓋
１３        モータケースの内部空間部
１６        ラジアル軸受
１８        駆動用マグネット
２０        ロータ
２１        電機子コア
２２        銅線
３０        回転軸
３１        整流子
４０        ブラケット
４０ａ      ブラケットの外周面
４０ｂ      ブラケットの下面
４１        ブラケットの貫通孔
４２        ブラケットにあるマグネット支持用貫通孔
４３        ブラケットにあるブラシベース固定用貫通孔
５０        ブラシベース
５０ａ      ブラシベースの外周面
５１        ブラシベースの円筒部
５１ａ      ブラシベースの開口端部
５１ｂ      ブラシベース段差部
５１ｂａ    ブラシベース段差部の内底面
５１ｃ      ブラシベース段差部に形成されたブラシ溝部
５１ｄ      ブラシベースの開口端部に形成されたマグネット支持用突部
５１ｅ      ブラシベースの開口端部に形成されたブラシベース固定用突部
５２        ブラシベースの底蓋
５３        ブラシベースのブラシベース空間部
５６        ラジアル軸受
５７        ブラシベースの検査端子の貫通孔
６０        ブラシアッシー
６１        ブラシ
６１ａ      ブラシの一端
６１ｂ      ブラシの他端（給電端子）
６２        検査端子
６２ａ      検査端子の目印部
１００      モータ
１５０      ブラシベース
１５７      ブラシベースの検査端子の貫通孔
１６０      ブラシアッシー
１６１      ブラシ
１６１ａ    ブラシの一端
１６１ｂ    ブラシの他端（給電端子）
１６２      検査端子
１６２ａ    検査端子の目印部
Ｂ          ブラシ保持構造
【図１】
2020145825.tif 000003
【図２】
2020145825.tif 000004
【図３】
2020145825.tif 000005
【図４】
2020145825.tif 000006
【図５】
2020145825.tif 000007
【図６】
2020145825.tif 000008
【図７】
2020145825.tif 000009
【図８】
2020145825.tif 000010
【図９】
2020145825.tif 000011